【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
光源から出射されるレーザビームを像担持体に走査して潜像を形成する光走査装置において、
前記レーザビームを検出する第一と第二のレーザビーム検出手段と、
前記第一と第二のレーザビーム検出手段からの検出結果に基づいて前記像担持体上での走査線の傾きを検出する走査線傾き検出手段と、を備え、
前記第一と第二のレーザビーム検出手段は、各々、前記レーザビームの走査方向に対して始端側の第一の辺縁と終端側の第二の辺縁とが非平行であり、前記第一のレーザビーム検出手段の第一の辺縁と前記第二のレーザビーム検出手段の第一の辺縁とが平行、かつ前記第一のレーザビーム検出手段の第二の辺縁と前記第二のレーザビーム検出手段の第二の辺縁とが平行であることを特徴とする光走査装置。
【請求項２】
前記第一のレーザビーム検出手段は前記像担持体への潜像形成前の走査領域で、前記第二のレーザビーム検出手段は前記像担持体への潜像形成終了後の走査領域で、前記レーザビームを検出することを特徴とする請求項１に記載の光走査装置。
【請求項３】
前記走査線傾き検出手段は、前記像担持体上の走査線の傾きθを以下の式で算出することを特徴とする請求項２に記載の光走査装置。
ｔａｎθ＝（Ｔ１−Ｔ２）／（Ｔ−Ｔ１＋Ｔ２）
ここで、
前記第一のレーザビーム検出手段に入射してから前記第二のレーザビーム検出手段に入射するまでの時間Ｔ、
前記第一のレーザビーム検出手段からの出力信号の時間Ｔ１、
前記第二のレーザビーム検出手段からの出力信号の時間Ｔ２
【請求項４】
前記走査線傾き検出手段で求めた前記傾きθ、前記時間Ｔ、さらに前記傾きθ＝０としたときの前記第一のレーザビーム検出手段に前記レーザビームが入射してから前記第二のレーザビーム検出手段に入射するまでの時間ｔとに基づいて、前記レーザビームの走査倍率を算出することを特徴とする請求項３に記載の光走査装置。
【請求項５】
光源から出射されるレーザビームを偏向走査手段で主走査方向に偏向走査して像担持体に潜像を形成する光走査装置において、
前記像担持体への潜像形成前の走査領域で前記レーザビームを検出する第一のレーザビーム検出手段と、
前記像担持体への潜像形成終了後の走査領域で前記レーザビームを検出する第二のレーザビーム検出手段と、
前記第一のレーザビーム検出手段からの出力信号の時間と、前記第二のレーザビーム検出手段からの出力信号の時間と、前記第一のレーザビーム検出手段に入射してから前記第二のレーザビーム検出手段に入射するまでの時間とに基づいて、前記像担持体上での走査線の前記主走査方向に対する傾きを検出する走査線傾き検出手段と、を備えることを特徴とする光走査装置。
【請求項６】
前記走査線傾き検出手段は、前記像担持体上での走査線の前記主走査方向に対する傾きθを以下の式で算出することを特徴とする請求項５に記載の光走査装置。
ｔａｎθ＝（Ｔ１−Ｔ２）／（Ｔ−Ｔ１＋Ｔ２）
ここで、
前記第一のレーザビーム検出手段に入射してから前記第二のレーザビーム検出手段に入射するまでの時間Ｔ、
前記第一のレーザビーム検出手段からの出力信号の時間Ｔ１、
前記第二のレーザビーム検出手段からの出力信号の時間Ｔ２
【請求項７】
前記走査線傾き検出手段で求めた前記傾きθ、前記時間Ｔ、さらに前記傾きθ＝０としたときの前記第一のレーザビーム検出手段に前記レーザビームが入射してから前記第二のレーザビーム検出手段に入射するまでの時間ｔとに基づいて、前記レーザビームの走査倍率を算出することを特徴とする請求項６に記載の光走査装置。
【請求項８】
光源から出射されるレーザビームを偏向走査手段で主走査方向に偏向走査して像担持体に潜像を形成する光走査装置において、
前記レーザビームを検出する第一と第二のレーザビーム検出手段と、
前記第一と第二のレーザビーム検出手段からの検出結果に基づいて前記像担持体上での走査線の傾きを検出する走査線傾き検出手段と、を備え、
前記第一と第二のレーザビーム検出手段は、各々、前記主走査方向に対して始端側の第一の辺縁と終端側の第二の辺縁とが非平行であり、前記第一のレーザビーム検出手段の第一の辺縁と前記第二のレーザビーム検出手段の第一の辺縁とが平行、かつ前記第一のレーザビーム検出手段の第二の辺縁と前記第二のレーザビーム検出手段の第二の辺縁とが平行であることを特徴とする光走査装置。
【請求項９】
前記走査線傾き検出手段は、前記第一のレーザビーム検出手段が出力する第一のパルスの幅と前記第二のレーザビーム検出手段が出力する第二のパルスの幅との差と、前記第一のレーザビーム検出手段に前記レーザビームが入射してから前記第二のレーザビーム検出手段に入射するまでの時間と、に基づいて前記像担持体上での走査線の傾きを検出することを特徴とする請求項８に記載の光走査装置。
【請求項１０】
前記走査線傾き検出手段は、前記像担持体上の走査線の傾きθを以下の式で算出することを特徴とする請求項９に記載の光走査装置。
ｔａｎθ＝（Ｔ１−Ｔ２）／（Ｔ−Ｔ１＋Ｔ２）
ここで、
前記第一のレーザビーム検出手段に前記レーザビームが入射してから前記第二のレーザビーム検出手段に入射するまでの時間Ｔ、
前記第一のレーザビーム検出手段が出力する第一のパルスの幅に相当する時間Ｔ１、
前記第一のレーザビーム検出手段が出力する第一のパルスの幅に相当する時間Ｔ２
【請求項１１】
前記走査線傾き検出手段で求めた前記傾きθ、前記時間Ｔと前記傾きθ＝０としたときの前記第一のレーザビーム検出手段に前記レーザビームが入射してから前記第二のレーザビーム検出手段に入射するまでの時間ｔとに基づいて、前記レーザビームの走査倍率を算出することを特徴とする請求項１０に記載の光走査装置。
【手続補正２】
【補正対象書類名】明細書
【補正対象項目名】００１３
【補正方法】変更
【補正の内容】
【００１３】
（１）光源から出射されるレーザビームを像担持体に走査して潜像を形成する光走査装置において、前記レーザビームを検出する第一と第二のレーザビーム検出手段と、前記第一と第二のレーザビーム検出手段からの検出結果に基づいて前記像担持体上での走査線の傾きを検出する走査線傾き検出手段と、を備え、前記第一と第二のレーザビーム検出手段は、各々、前記レーザビームの走査方向に対して始端側の第一の辺縁と終端側の第二の辺縁とが非平行であり、前記第一のレーザビーム検出手段の第一の辺縁と前記第二のレーザビーム検出手段の第一の辺縁とが平行、かつ前記第一のレーザビーム検出手段の第二の辺縁と前記第二のレーザビーム検出手段の第二の辺縁とが平行であることを特徴とする光走査装置。
（２）光源から出射されるレーザビームを偏向走査手段で主走査方向に偏向走査して像担持体に潜像を形成する光走査装置において、前記像担持体への潜像形成前の走査領域で前記レーザビームを検出する第一のレーザビーム検出手段と、前記像担持体への潜像形成終了後の走査領域で前記レーザビームを検出する第二のレーザビーム検出手段と、前記第一のレーザビーム検出手段からの出力信号の時間と、前記第二のレーザビーム検出手段からの出力信号の時間と、前記第一のレーザビーム検出手段に入射してから前記第二のレーザビーム検出手段に入射するまでの時間とに基づいて、前記像担持体上での走査線の前記主走査方向に対する傾きを検出する走査線傾き検出手段と、を備えることを特徴とする光走査装置。
（３）光源から出射されるレーザビームを偏向走査手段で主走査方向に偏向走査して像担持体に潜像を形成する光走査装置において、前記レーザビームを検出する第一と第二のレーザビーム検出手段と、前記第一と第二のレーザビーム検出手段からの検出結果に基づいて前記像担持体上での走査線の傾きを検出する走査線傾き検出手段と、を備え、前記第一と第二のレーザビーム検出手段は、各々、前記主走査方向に対して始端側の第一の辺縁と終端側の第二の辺縁とが非平行であり、前記第一のレーザビーム検出手段の第一の辺縁と前記第二のレーザビーム検出手段の第一の辺縁とが平行、かつ前記第一のレーザビーム検出手段の第二の辺縁と前記第二のレーザビーム検出手段の第二の辺縁とが平行であることを特徴とする光走査装置。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】図面
【補正対象項目名】図４
【補正方法】変更
【補正の内容】
【図４】
2008012905.tif 000001